(57)【要約】      （修正有）【課題】  内部の弁体の動きを外側から目視で確認することができる逆止弁を提供する。【解決手段】  弁ケース２内に弁体９が内蔵されている逆止弁１において、弁ケース２の少なくとも一部が、透明２ａに形成され,透明２ａを介し弁体９の作動状態を外部から確認できるようにする。また、弁体９の作動状態を外部から確認可能にするため、弁体９に連接される一部を弁ケース２の外部に露出させる。【選択図】        図１
2005172122.tif 000002
【特許請求の範囲】
【請求項１】
弁ケース内に弁体が内蔵されている逆止弁において、前記弁ケースの少なくとも一部が、前記弁体の動きを目視できるように透明に形成されていることを特徴とする逆止弁。
【請求項２】
弁ケース内に弁体が内蔵されている逆止弁において、前記弁体に追従する可動部材が前記弁ケースから外側へ突出されていることを特徴とする逆止弁。
【発明の詳細な説明】
【技術分野】
【０００１】
本発明は、通水路内に設けられる逆止弁に関するものである。
【背景技術】
【０００２】
従来、逆止弁としては、例えば特許文献１に開示されているような構造のものが存在する。
【特許文献１】特開平８−１２１６２５号公報
【発明の開示】
【発明が解決しようとする課題】
【０００３】
従来の逆止弁は通水路内に設けられており、万が一、故障しても、分解しない限り故障の判断ができないものであった。
【課題を解決するための手段】
【０００４】
本発明は上記従来の問題点に鑑み案出したものであって、故障しているか否かを外側から目視して確認することのできる逆止弁を提供せんとするものであり、その請求項１は、弁ケース内に弁体が内蔵されている逆止弁において、前記弁ケースの少なくとも一部が、前記弁体の動きを目視できるように透明に形成されていることである。
また、請求項２は、弁ケース内に弁体が内蔵されている逆止弁において、前記弁体に追従する可動部材が前記弁ケースから外側へ突出されていることである。
【発明の効果】
【０００５】
本発明の逆止弁は、弁ケースの少なくとも一部が、弁体の動きを目視できるように透明に形成されていることにより、外側から透明部分を介して弁体の動きを目で容易に確認することができ、分解することなく逆止弁の故障を判断できて、逆止弁の交換等を早急に行うことができるものとなる。
【０００６】
また、弁ケース内に弁体が内蔵されている逆止弁において、弁体に追従する可動部材が弁ケースから外側へ突出されていることにより、軸等の可動部材の動きを外側から見ることで、弁体が正常に作動しているか否かを容易に確認することができるものとなる。
【実施例】
【０００７】
以下、本発明の実施例を図面に基づいて説明する。
図１は、通水路内に設けられる逆止弁の一例を示す概略断面構成図である。
このような逆止弁１は、例えばシャワートイレ，タンクレス便器，給湯機，ディスポーザー等の通水路内に設けられて、逆流を防ぐことができるものである。
【０００８】
逆止弁１の弁ケース２内には、弁室３が形成されており、この弁室３の下部には、内側へ突出して弁座部４が形成されており、弁座部４の中心には、一次側流路６に連通した弁口５が開口されている。
また、弁室３の上部には、内側へ向かって突壁７が設けられており、突壁７の中心にはガイド孔７ａが上方の二次側流路８側へ開口されている。
【０００９】
弁室３内には、バネ１３を介して弁座部４側へ付勢された弁体９が内蔵されており、この弁体９の外周にはオーリング１０が設けられて、弁体９の閉止時に、オーリング１０が弁座部４に当接して、水密性が確保されるように構成されている。
また、弁体９から上方へ向かって軸部１１が延びており、この軸部１１は、ガイド孔７ａを通り上方へ延びて、その上端にはストッパー部１２が設けられている。
【００１０】
本例の逆止弁１を構成する弁ケース２の一部には、透明部２ａが形成されており、この透明部２ａは、別の透明部材を弁ケース２に水密状に嵌め込んで形成しておくことができるものである。この透明部２ａは外側から弁体９の動きを目視できる位置に形成されており、透明部２ａを介して内部の弁体９の動きを目で良好に確認できるように構成されている。
なお、透明部２ａは、弁ケース２の弁室３の外周全域に形成させたものであっても良く、また、弁ケース２全体を透明に形成したものであっても良い。
【００１１】
次に、図２で示す逆止弁１は、タイプの異なる逆止弁であり、図２では、上流側の一次側流路６と下流側の二次側流路８が直角状をなしており、この部分に逆止弁１が設けられて、逆止弁１の弁ケース２には、内側へ突出した弁座部４と、その上方にパッキン収納部１５が形成されたものとなっており、パッキン収納部１５内にはパッキン１４が内装されている。
弁座部４の下部に、オーリング１０を備えた弁体９が配設されており、この弁体９から上方へ延びて軸部１１が形成され、軸部１１は、パッキン１４を通って弁ケース１の上端から外側へ突出状に配置されたものとなっている。
なお、軸部１１の外周にはバネ１３が設けられて、このバネ１３の付勢力により常には弁体９が弁座部４に当接されるように構成されている。
【００１２】
このような構造の逆止弁１としておけば、軸部１１は弁ケース２の外側へ突出されているため、この軸部１１の動きを外側から目視することにより、弁体９が正常に作動しているか否かを良好に確認できるものとなる。
なお、その他、軸部１１に限らず、弁体９の動きに追従して動く可動部材を弁ケース２の外側へ突出させておけば、この可動部材の動きにより、弁体９が正常に作動しているか否かを良好に確認できるものとなる。
【００１３】
このように弁ケース２の一部が透明に形成された逆止弁１、または、軸部１１等の可動部材が弁ケース２の外側へ突出された逆止弁１は、例えば図３に示すようなロータンク一体型便器２０の通水路内に設けておくことができる。
図３のロータンク一体型便器２０は、便器本体２１の上面に、便座２２と便座カバー２３が設けられ、さらに便器本体２１の後方側のロータンク２４の外周にはタンクカバー２５が設けられている。また、壁側に設けられた止水栓２６から水道水が、ボールタップを介してロータンク２４内に供給されるように構成されている。
【００１４】
例えば、止水栓２６からの通水路を形成するホース３１は、図４に示すような、定流量弁２７に接続され、逆止弁１は定流量弁２７に近接して設けられており、止水栓２６から供給された水道水は、定流量弁２７を通りロータンク２４側へ供給されるとともに、逆止弁１を通り温水タンクへ供給されるように構成されている。この定流量弁２７及び逆止弁１は、便器本体２１の後部側に配置されている。
【００１５】
なお、このロータンク一体型便器２０は、掃除をする際等に、便座２２，便座カバー２３とともにタンクカバー２５を上方側へリフトアップさせることができ、このリフトアップ時には、逆止弁１がタンクカバー２５の下方で露出した状態となるように配置構成されており、リフトアップ時には、容易に逆止弁１を目で見ることができる。
従って、逆止弁１が、図１のように透明部２ａを有するものである場合には、掃除する際等に、透明部２ａから内部の弁体９の動きを良好に確認できるものとなり、弁体９が弁座部４などに固着して動かないような場合には、直ちに逆止弁１を交換等して早急に対応することができるものとなる。
また、図２のように軸部１１が外側へ突出しているような構造の逆止弁１である場合においては、軸部１１の動きを見て、内部の弁体９が正常に作動しているか否かを良好に確認できるものである。
【００１６】
次に、図５の概略斜視図で示すものは、シャワートイレに設けられた逆止弁である。
このシャワートイレにおいては、壁側の止水栓２６からの水道水が、逆止弁１を通り温水タンク２８に供給されるように構成されており、温水タンク２８内の温水が、切替弁２９を通りノズル３０から噴出されるように構成されている。
本例の逆止弁１においても、図１または図２に示すように、内部の弁体９の動きが外側から目視できるような構造にしておけば、内部の弁体９が正常に作動しているか否かを容易に確認することができて、正常に作動していない場合には、直ちに逆止弁１を交換等することができるものとなる。
【００１７】
なお、図１または図２に示すような逆止弁１は、タンクレスタイプの便器の通水路内に設置することもでき、その他、給湯機の通水路内に、このような逆止弁１を設けることもでき、さらには、ディスポーザーの通水路内に、このような逆止弁１を設けて、内部の弁体の動きを良好に目視して確認できるように構成することができるものである。
【００１８】
従来では、分解しない限り、逆止弁１の弁体９が正常に作動しているか否かを確認することができなかったために、逆止弁が作動不良を起こしたままの状態で使用が継続されていたが、本例の逆止弁では容易に外側から目で作動不良を確認できるため、逆止弁の故障による不具合をいち早く回避できるものとなる。
【図面の簡単な説明】
【００１９】
【図１】透明部を弁ケースに有する逆止弁の概略断面構成図である。
【図２】外側へ突出した軸部を有する逆止弁の概略断面構成図である。
【図３】ロータンク一体型便器の斜視構成図である。
【図４】図３の便器に設置されている逆止弁の配置構成図である。
【図５】シャワートイレにおける逆止弁の配置構成図である。
【符号の説明】
【００２０】
１  逆止弁
２  弁ケース
２ａ  透明部
３  弁室
４  弁座部
５  弁口
６  一次側流路
７  突壁
７ａ  ガイド孔
８  二次側流路
９  弁体
１０  オーリング
１１  軸
１２  ストッパー部
１３  バネ
１４  パッキン
２０  ロータンク一体型便器
２５  タンクカバー
【図１】
2005172122.tif 000003
【図２】
2005172122.tif 000004
【図３】
2005172122.tif 000005
【図４】
2005172122.tif 000006
【図５】
2005172122.tif 000007